(57)【要約】【課題】見込み方向が厚くなることや採光面積の縮小を抑制することを可能とする開口部装置を提供する。【解決手段】サッシ窓１１と、サッシ窓より室外側に配置される可動式面格子４０と、を備える開口部装置１０であって、可動式面格子は、縦枠４２、４３及び横枠４４、４５を有して枠状に形成された枠体４１と、枠体の枠内に該枠体の見付け方向に複数並列して設けられ、並列の方向に直交する方向の軸５２を中心に回動可能である格子羽根５１と、格子羽根を回動させる開閉機構５５と、枠体のいずれかの部位に配置され、開閉機構を操作可能な開閉操作装置６５と、を有し、開閉操作装置は、操作者が触れて操作すべき操作摘み６８を具備するとともに、操作摘みは見付け方向内側に突出して設けられている。【選択図】図３
2012140764.tif 000002
【特許請求の範囲】
【請求項１】
サッシ窓と、サッシ窓より室外側に配置される可動式面格子と、を備える開口部装置であって、
前記可動式面格子は、
縦枠及び横枠を有して枠状に形成された枠体と、
前記枠体の枠内に該枠体の見付け方向に複数並列して設けられ、前記並列の方向に直交する方向の軸を中心に回動可能である格子羽根と、
前記格子羽根を回動させる開閉機構と、
前記枠体のいずれかの部位に配置され、前記開閉機構を操作可能な開閉操作装置と、を有し、
前記開閉操作装置は、操作者が触れて操作すべき操作摘みを具備するとともに、前記操作摘みは見付け方向内側に突出して設けられている、
開口部装置。
【請求項２】
前記操作摘みは、前記開閉操作装置が配置された前記縦枠の長手方向に沿って移動して操作可能とされ、その可動範囲が１つの前記格子羽根の回動軸の高さ位置と、該１つの格子羽根に隣接する他の１つの前記格子羽根の回動軸の高さ位置との間であることを特徴とする請求項１に記載の開口部装置。
【請求項３】
前記開閉機構は、該開閉機構が具備された前記縦枠又は前記横枠の長手方向を含む方向に移動可能であるとともに、前記格子羽根を回動させるための複数の孔又は軸を有するスライドバーを具備し、
前記スライドバーは、１つの前記孔又は軸と該１つの孔又は軸に隣接する他の１つの前記孔又は軸との間に、前記開閉操作装置を連結させる突起である連結突起を備えることを特徴とする請求項１又は２に記載の開口部装置。
【請求項４】
縦枠及び横枠を有して枠状に形成された枠体と、
前記枠体の枠内に該枠体の見付け方向に複数並列して設けられ、前記並列の方向に直交する方向の軸を中心に回動可能である格子羽根と、
前記格子羽根を回動させる開閉機構と、
前記枠体のいずれかの部位に配置され、前記開閉機構を操作可能な開閉操作装置と、を有し、
前記開閉操作装置は、操作者が触れて操作すべき操作摘みを具備するとともに、前記操作摘みは見付け方向内側に突出して設けられている、
可動式面格子。
【請求項５】
前記操作摘みは、前記開閉操作装置が配置された前記縦枠の長手方向に沿って移動して操作可能とされ、その可動範囲が１つの前記格子羽根の回動軸の高さ位置と、該１つの格子羽根に隣接する他の１つの前記格子羽根の回動軸の高さ位置との間であることを特徴とする請求項４に記載の可動式面格子。
【請求項６】
前記開閉機構は、該開閉機構が具備された前記縦枠又は前記横枠の長手方向を含む方向に移動可能であるとともに、前記格子羽根を回動させるための複数の孔又は軸を有するスライドバーを具備し、
前記スライドバーは、１つの前記孔又は軸と該１つの孔又は軸に隣接する他の１つの前記孔又は軸との間に、前記開閉操作装置を連結させる突起である連結突起を備えることを特徴とする請求項４又は５に記載の可動式面格子。
【請求項７】
可動式面格子に用いられ、格子羽根の回動操作をする開閉操作装置であって、
板状の部材で、その一端側に板厚方向を貫通したスリットを有する連結部材と、
前記連結部材の前記板状の一方の面から該面の法線方向に立設された操作摘みと、
前記連結部材及び前記操作摘みの少なくとも一部を内包するケースと、を有し、
前記連結部材及び前記操作摘みは前記ケース内で前記連結部材の前記スリットの長手方向に直交する方向に移動可能とされている、
開閉操作装置。
【発明の詳細な説明】
【技術分野】
【０００１】
本発明は、住宅や公共施設等の建物開口部に配置される可動式の面格子を備える開口部装置、これに用いられる面格子、及び開閉操作装置に関する。
【背景技術】
【０００２】
住宅等の建物において、室外視から室内を隠蔽したり、防犯性を高める等の目的でサッシ窓の室外側に面格子を配置した開口部装置がある。この面格子も機能性やデザイン性等の観点から様々な種類のものが提案されているが、その中に、面格子を構成する各格子が回動する可動式面格子を備えた開口部装置がある。可動式面格子を備えた開口部装置によれば、格子の閉鎖時には隠蔽性や防犯性が高く、格子の開放時には効率良く換気や採光をすることができるので、場面に応じた高い機能を切り換えることが可能となる。
【０００３】
可動式面格子は、このように閉鎖の姿勢と開放の姿勢とを切り換えるので、格子の開閉機構及びこれを作動させる開閉操作装置を備えている。特許文献１、２には可動式面格子の開閉操作装置が開示されている。このような開閉操作装置を操作することにより開閉機構を作動させ、格子を開閉させることができる。
【先行技術文献】
【特許文献】
【０００４】
【特許文献１】特許第４５１０１３７号公報
【特許文献２】特開２００８−２０８７００号公報
【発明の概要】
【発明が解決しようとする課題】
【０００５】
ここで、このような開口部装置では、サッシ窓も可動式面格子もそれぞれ枠状体を有し、サッシ窓の枠状体の内側にはガラス障子、可動式面格子の枠状体の内側には可動式の格子がそれぞれ配置されることになる。そしてサッシ窓と可動式面格子とは室内外方向に重なるように配置される。すなわち、サッシ窓の枠状体と可動式面格子の枠状体とは室内視で重なるように並べられる。一方、開閉操作装置は可動式面格子の枠状体に取り付けられることから、開閉操作装置は可動式面格子の枠状体とサッシ窓の枠状体との間に配置されることになる。このとき、当該開閉操作装置は人が指を用いて操作するので、開閉操作装置の操作に供される摘みの周辺にはある程度の操作のための空間を確保しなければならない。
【０００６】
そのため、従来の開口部装置では、可動式面格子とサッシ窓との室内外方向（見込み方向）の間隙を大きくとり、この間隙に操作者が指を差し入れて開閉操作装置を操作することとしていた。または、可動式面格子の枠状体のうち開閉操作装置が取り付けられた枠材を太くし、開閉操作装置をサッシ窓の枠状体より見付け方向内側となるような位置に配置して操作のための空間を確保していた。
【０００７】
しかしながら、このような開口部装置では見込み方向が厚くなったり、見付け方向の彩光部が狭くなる等の不具合を生じていた。
【０００８】
そこで本発明は上記問題点に鑑み、見込み方向が厚くなることを抑制することや採光面積の縮小を抑制することを可能とする開口部装置、可動式面格子、及び開閉操作装置を提供する。
【課題を解決するための手段】
【０００９】
以下、本発明について説明する。なお、本発明の理解を容易にするために添付図面の参照符号を括弧書きにて付記するが、それにより本発明が図示の形態に限定されるものではない。また、以下で「見付け方向」とは、全体として概ね平板状である開口部装置の平面に沿った方向を意味する。そして「見付け方向内側」は見付け方向のうち、開口部装置の中央の方向であり、「見付け方向外側」は見付け方向のうち、開口部装置から離れる方向である。また、「見込み方向」とは開口部装置の厚さ方向を意味し、「見込み方向室外側」とは、開口部装置が建物に取り付けられた姿勢で室外側となる方向であり、「見込み方向室内側」は、開口部装置が建物に取り付けられた姿勢で室内側となる方向である。
【００１０】
請求項１に記載の発明は、サッシ窓（１１）と、サッシ窓より室外側に配置される可動式面格子（４０）と、を備える開口部装置（１０）であって、可動式面格子は、縦枠（４２、４３）及び横枠（４４、４５）を有して枠状に形成された枠体（４１）と、枠体の枠内に該枠体の見付け方向に複数並列して設けられ、並列の方向に直交する方向の軸（５２）を中心に回動可能である格子羽根（５１）と、格子羽根を回動させる開閉機構（５５）と、枠体のいずれかの部位に配置され、開閉機構を操作可能な開閉操作装置（６５）と、を有し、開閉操作装置は、操作者が触れて操作すべき操作摘み（６８）を具備するとともに、操作摘みは見付け方向内側に突出して設けられている、開口部装置である。
【００１１】
請求項２に記載の発明は、請求項１に記載の開口部装置（１０）において、操作摘み（６８）は、開閉操作装置（６５）が配置された縦枠の長手方向に沿って移動して操作可能とされ、その可動範囲が１つの格子羽根（５１）の回動軸（５２）の高さ位置と、該１つの格子羽根に隣接する他の１つの格子羽根（５１）の回動軸（５２）の高さ位置との間であることを特徴とする。
【００１２】
ここで、「格子羽根の回動軸の高さ位置」とは、可動式面格子が建物に取り付けられた姿勢において位置づけられる当該格子羽根の回動軸の建物床面からの高さ位置を意味する。以下同様である。
【００１３】
請求項３に記載の発明は、請求項１又は２に記載の開口部装置（１０）において、開閉機構（５５）は、該開閉機構が具備された縦枠又は横枠の長手方向を含む方向に移動可能であるとともに、格子羽根（５１）を回動させるための複数の孔又は軸を有するスライドバー（５６）を具備し、スライドバーは、１つの孔又は軸と該１つの孔又は軸に隣接する他の１つの孔又は軸との間に、開閉操作装置（６５）を連結させる突起である連結突起（５９）を備えることを特徴とする。
【００１４】
請求項４に記載の発明は、縦枠（４２、４３）及び横枠（４４、４５）を有して枠状に形成された枠体（４１）と、枠体の枠内に該枠体の見付け方向に複数並列して設けられ、並列の方向に直交する方向の軸（５２）を中心に回動可能である格子羽根（５１）と、格子羽根を回動させる開閉機構（５５）と、枠体のいずれかの部位に配置され、開閉機構を操作可能な開閉操作装置（６５）と、を有し、開閉操作装置は、操作者が触れて操作すべき操作摘み（６８）を具備するとともに、操作摘みは見付け方向内側に突出して設けられている、可動式面格子（４０）である。
【００１５】
請求項５に記載の発明は、請求項４に記載の可動式面格子において、操作摘み（６８）は、開閉操作装置（６５）が配置された縦枠の長手方向に沿って移動して操作可能とされ、その可動範囲が１つの格子羽根（５１）の回動軸（５２）の高さ位置と、該１つの格子羽根に隣接する他の１つの格子羽根（５１）の回動軸（５２）の高さ位置との間であることを特徴とする。
【００１６】
請求項６に記載の発明は、請求項４又は５に記載の可動式面格子（４０）において、開閉機構（５５）は、該開閉機構が具備された縦枠又は横枠の長手方向を含む方向に移動可能であるとともに、格子羽根（５１）を回動させるための複数の孔又は軸を有するスライドバー（５６）を具備し、スライドバーは、１つの孔又は軸と該１つの孔又は軸に隣接する他の１つの孔又は軸との間に、開閉操作装置（６５）を連結させる突起である連結突起（５９）を備えることを特徴とする。
【００１７】
請求項７に記載の発明は、可動式面格子（４０）に用いられ、格子羽根（５１）の回動操作をする開閉操作装置（６５）であって、板状の部材で、その一端側に板厚方向を貫通したスリット（６７ａ）を有する連結部材（６７）と、連結部材の板状の一方の面から該面の法線方向に立設された操作摘み（６８）と、連結部材及び操作摘みの少なくとも一部を内包するケース（６６）と、を有し、連結部材及び操作摘みはケース内で連結部材のスリットの長手方向に直交する方向に移動可能とされている、開閉操作装置である。
【発明の効果】
【００１８】
本発明の開口部装置によれば、見込み方向が厚くなることを抑制することや採光面積の縮小を抑制することが可能となる。
また、本発明の可動式面格子、開閉操作装置によれば、見込み方向が厚くなることを抑制することや採光面積の縮小を抑制することが可能となる開口部装置を構成することができる。
【図面の簡単な説明】
【００１９】
【図１】図１（ａ）は１つの実施形態にかかる開口部装置の室内側正面視における概略図、図１（ｂ）は同室外側正面視における概略図である。
【図２】図１（ａ）にＩＩ−ＩＩで示した線に沿った開口部装置の垂直方向断面を概略的に示す図である。
【図３】図１（ａ）にＩＩＩ−ＩＩＩで示した線に沿った開口部装置の水平方向断面を概略的に示す図である。
【図４】格子羽根の開放動作を説明する図である。
【図５】連結部材及び操作摘みの他の例を示す図である。
【発明を実施するための形態】
【００２０】
本発明の上記した作用及び利得は、次に説明する発明を実施するための形態から明らかにされる。以下、本発明を図面に示す実施形態に基づき説明する。
【００２１】
図１は、１つの実施形態にかかる開口部装置１０が建物開口部に取り付けられた姿勢における正面図で、図１（ａ）が開口部装置１０の室内側正面視における概略図、図１（ｂ）が開口部装置１０の室外側正面視における概略図である。図１に示した開口部装置１０では、ここに備えられたサッシ窓１１は室内側障子２５が開かれた姿勢であり、可動式面格子４０は閉鎖の姿勢である。図２は、図１（ａ）にＩＩ−ＩＩで示した線（垂直方向）に沿った断面を概略的に示す図である。図３は、図１（ａ）にＩＩＩ−ＩＩＩで示した線（水平方向）に沿った断面を概略的に示す図である。図２では紙面左が室外側、紙面右が室内側となっている。また、図３では紙面下が室内側、紙面上が室外側となっている。図が煩雑となるのを防ぐため、いずれの図においても、部材の一部は図示を省略することがある。また、繰り返しとなる符号も一部省略することがあり、必要に応じて部材を透視して表している。
【００２２】
開口部装置１０は、サッシ窓１１及び可動式面格子４０を備えている。以下、図１〜図３を参照しつつそれぞれについて説明する。
【００２３】
サッシ窓１１は、枠体１２と、枠体１２で区画された枠内に配置される室外側障子１７、及び室内側障子２５を具備している。
枠体１２は縦枠１３、１４、及び縦枠１３、１４の端部間を渡すように配置された横枠１５、１６を備えてこれが枠状体を形成している。枠体１２は、その見付け方向内側に室外側障子１７、室内側障子２５を引戸式に案内するレール部材が設けられ、見付け方向外側に枠体１２を建物躯体に取り付ける片が具備されている。
【００２４】
室外側障子１７は、戸先框１８、召し合せ框１９、上横框２０、下横框２１が枠状に組み合わされ、その区画内にガラスパネル２２が配置されている。戸先框１８、召し合せ框１９、上横框２０、下横框２１はその断面においてコ字状部を有しており、該コ字状の内側にガラスパネル２２の端部を挿入するようにして固定されている。一方、室内側障子２５も同様に、戸先框２６、召し合せ框２７、上横框２８、下横框２９が枠状に組み合わされ、その区画内にガラスパネル３０が配置されている。戸先框２６、召し合せ框２７、上横框２８、下横框２９はその断面においてコ字状部を有しており、該コ字状の内側にガラスパネル３０の端部を挿入するようにして固定されている。ここで、下横框２１及び下横框２９には戸車が設けられ、室外側障子１７及び室内側障子２５の開閉の円滑が図られている。
【００２５】
このような室外側障子１７、及び室内側障子２５は枠体１２の枠内に引戸式に配置される。より詳しくは図２からわかるように、室内側障子２５の上横框２８に設けられたレール挿入用の溝状の部位に横枠１５に備えられたレール部材を挿入するとともに、下横框２９に配置された戸車を横枠１６に備えられたレール部材に載置する。室外側障子１７も同様である。これにより、室外側障子１７及び室内側障子２５が枠体１２内で円滑に引戸式に移動することができる。
【００２６】
本実施形態ではサッシ窓の１つの例として引戸式のサッシ窓を説明したが、サッシ窓はこれに限定されることなく公知のサッシ窓をここに配置することが可能である。
【００２７】
次に可動式面格子４０について説明する。可動式面格子４０は、枠体４１と、枠体４１で区画された枠内に配置される格子５０と、開閉機構５５と、開閉操作装置６５と、を備えている。
【００２８】
枠体４１は、縦枠４２、４３、及び縦枠４２、４３の端部間を渡すように配置された横枠４４、４５を備えてこれが枠状体を形成している。
格子５０は、複数の格子羽根５１を有して形成されている。格子羽根５１は所定の断面を有して一方向に長く延在する帯状の部材である。当該帯状である格子羽根５１がその長手方向を水平とし、長手方向に直交する方向であり、縦枠４２、４３の長手方向となる方向に沿って並べられるように枠体４１の区画内に配列されている。図３からわかるように、格子羽根５１の長手方向両端のそれぞれからは、さらに長手方向に突出するように軸５２が設けられている。この軸５２は、格子羽根５１との関係では回動が禁止されて固定されるとともに、縦枠４２、４３に対しては回動可能に取り付けられており、これにより格子羽根５１もその長手方向を軸として回動可能に縦枠４２、４３に配置される。
【００２９】
開閉機構５５は、後述する開閉操作装置６５で操作に供された力を、格子羽根５１を回動させる力に変換する機構であり、スライドバー５６、複数のアーム５７、及び連結突起５９を有している。図３からわかるように、開閉機構５５は縦枠４３側に設けられている。ただし、縦枠４２側に設けられていてもよい。また、例えば縦枠４２と縦枠４３との間に１つの中間縦枠を設け、これにより２つの並列された枠状の区画が形成され、それぞれの区画に格子を設ける形態もある。この場合には、縦枠４２及び縦枠４３の両方にそれぞれ開閉機構及び後述する開閉操作装置を設けることができる。これにより、２つの区画に設けられた格子のそれぞれを個別に開閉操作することが可能となる。
【００３０】
スライドバー５６は、縦枠４３の長手方向と同じ方向を長手方向とする棒状の部材であり、見付け方向に貫通する複数の孔５６ａを有している。孔５６ａは後述する軸５８が回動可能に挿入される孔であり、格子羽根５１に対応した位置に、該格子羽根５１の並列ピッチと同じピッチでスライドバー５６の長手方向に配列されている。
【００３１】
アーム５７は、板状のアーム部材であり、それぞれの格子羽根５１に１つずつ配置されている。従って、アーム５７は複数配置されている。アーム５７の一端側は上記した格子羽根５１の軸５２が回動可能に取り付けられている。一方、アーム５７の他端側からは軸５８が突出して設けられ、この軸５８が上記したスライドバー５６の孔５６ａに回動可能に差し込まれている。
【００３２】
連結突起５９は、スライドバー５６から突出して設けられた突起状の部材であり、後述する開閉操作装置６５に対応する位置に配置されている。連結突起５９はある１つの格子羽根５１の軸５２と、その下に配置される格子羽根５１の軸５２との間に配置されていることが好ましい。
【００３３】
開閉操作装置６５は、操作者が直接操作して上記した開閉機構５５を作動させるための装置であり、ケース６６、連結部材６７、及び操作摘み６８を備えている。
ケース６６は、開閉操作装置６５のうち室内側に露出して配置される箱状の部材であり、その内側に連結部材６７及び操作摘み６８の一部が配置される。ケース６６は図２、図３からわかるように、略直方体の箱状の部材であり、その１つの面を縦枠４３の室内側面に合わせるようにして該縦枠４３に固定されている。そしてケース６６の面のうち見付方向内側面には上下方向に延びるスリット６６ａが設けられている。スリット６６ａはケース６６の箱状の内外を連通している。
【００３４】
連結部材６７は、板状の部材であり、その板厚方向が左右方向となるように配置される。連結部材６７には、その一端側に板厚方向に貫通し、見込み方向に長いスリット６７ａが設けられている。スリット６７ａのスリット幅は、後述するようにここにスライドバー５６の連結突起５９が挿入されるので、該連結突起５９が挿入可能であればよい。
【００３５】
操作摘み６８は、図３からよくわかるように、連結部材６７の見付け方向内側面のうち、室内側端部から見付け方向内側に向けて延在して設けられている。
【００３６】
開閉操作装置６５は次のように配置されている。すなわち、開閉操作装置６５のケース６６は縦枠４３の室内側見付け面のいずれかの部位に固定される。ケース６６には上記したように連結部材６７及び操作摘み６８が含まれているが、連結部材６７はスリット６７ａが設けられた側の端部が開閉機構５５の方に向けて延びるように配置される。このとき、図２からわかるように、スリット６７ａの内側にスライドバー５６の連結突起５９が挿入され、該連結突起５９がスリット６７ａの内側を移動することができるように配置される。一方、操作摘み６８は、連結部材６７の室内側端部から見付け方向内側に突出して延在し、ケース６６のスリット６６ａを貫通して室内側に露出して配置される。ここで、操作摘み６８はスリット６６ａに沿って上下方向に移動可能とされ、操作摘み６８に固定されている連結部材６７もこれに追随して上下方向に移動可能とされている。
ここで、操作摘み６８の上下方向への移動範囲は、ある１つの格子羽根５１の回動軸５２が存する高さ位置とその格子羽根５１の下方に隣り合う他の格子羽根５１の回動軸５２が存する高さ位置との間であることが好ましい。これによりサッシ窓１１と可動式面格子４０とをさらに近接して配置し、開口部装置を薄くすることができる。
【００３７】
以上のような構成を有するサッシ窓１１と可動式面格子４０とは、図２からわかるように室内外方向に並べられて固定部材等により連結されている。本実施形態ではサッシ窓１１と可動式面格子４０とが連結されている態様を示したが、これに限定されることはなく、サッシ窓及び可動式面格子のそれぞれが個別に建物に取り付けられる態様であってもよい。
【００３８】
開口部装置１０によれば、図３からわかるように操作摘み６８が見付け方向内側に向けて突出し、見込み方向に突出することがなく、見込み方向に操作スペースを設ける必要がないので、図３にＸで示したサッシ窓１１と可動式面格子４０との距離を小さく抑えることができる。これにより開口部装置１０を薄く形成することが可能となる。具体的には、距離Ｘを２０ｍｍ以下にすることもできる。従来の開口部装置では、可動式面格子の開閉操作スペースを確保する観点からこの距離を２０ｍｍより大きくとる必要があり、開口部装置全体が厚くなってしまっていた。
また、見込み方向の操作スペースを確保するために縦枠を見付け方向に厚くし、開閉操作装置自体を見付け面の見付け方向内側に配置することも不要となる。すなわち、図３に点線Ｙで示したように窓サッシの縦枠１４の見付方向内側面の見込み方向ライン上に可動式面格子４０の縦枠４３は存在せず、格子羽根５１が存するので、採光面積を減少させることがない。また室内視で可動式面格子４０の縦枠４３が見えないので全体としてシンプルで外観のよい開口部装置とすることもできる。
このように、開口部装置１０、又はここに備えられる可動式面格子４０、及び開閉操作装置６５によれば、格子５０の開閉のための操作スペースを十分に確保しつつ開口部装置の薄型化、及び採光面積の確保をすることができる。
【００３９】
以上のような構成を備える開口部装置１０のうち、可動式面格子４０の開閉は次のように行われる。図４に説明のための図を示した。図４（ａ）〜図４（ｃ）は格子羽根５１を開放させていく順を並べて示したもので各図において紙面左が室外側、紙面右が室内側である。
図２で示した格子５０の閉鎖の姿勢から、室内側から操作者が操作摘み６８を摘み、図４（ａ）に示した位置にまで操作摘み６８を下方に移動させる。するとこれに追随して連結部材６７も下方に移動する。ここで、連結部材６７のスリット６７ａの内側にはスライドバー５６の連結突起５９が挿入されているので、連結部材６７に追随してスライドバー５６も図４（ａ）に直線矢印で示したように下方に移動する。
スライドバー５６が下方に移動するとアーム５７のうち軸５８が備えられる側の端部も下方に移動する。しかしながらアーム５７の他端は格子羽根５１の軸５２及び縦枠４３に回動可能に取り付けられているものの、下方には移動することができないので、アーム５７は軸５２を中心に回動する。これにより軸５２及び格子羽根５１も回動し、格子羽根５１が開放の方向へ回動する。このとき、アーム５７が軸５２を中心に回動するので、アーム５７のうち軸５８が備えられる側の端部、及びスライドバー５６は図４（ａ）に直線矢印で示したように室内側（紙面右側）にも移動する。この移動によりスライドバー５６の連結突起５９も室内側に移動するので、スリット６７ａ内を移動することになる。
さらに操作者が操作摘み６８を下方に移動させると、上記と同様にして図４（ｂ）、図４（ｃ）に示したように格子羽根５１の開放を進めることができる。また、格子羽根５１の開放の姿勢からこれを閉鎖させるときには上記を遡るようにおこなわれる。
【００４０】
ここで、図４（ａ）〜図４（ｃ）からわかるように、操作摘み６８が格子羽根５１の開閉の際に移動する範囲は、ＩＶ−ＩＶで示したように、１つの格子羽根５１の回動軸５２の高さ位置とこれに隣接する下方の格子羽根５１の回動軸５２の高さ位置との間であることが好ましい。これにより見付け方向内側に突出した操作摘み６８をさらに格子羽根５１側に近づけて配置しても操作する指が格子羽根５１に接触することがない。従って、指が格子羽根５１へ接触することを防止しつつ、さらに薄い開口部装置を提供することが可能となる。また操作摘み６８を見付け方向内側に延ばしたことにより生じる虞のある格子羽根５１への指の接触を確実に回避することができる。
ここで操作摘み６８の移動する範囲がＩＶ−ＩＶの範囲内にあるとは、操作摘み６８のうち、操作者が摘まんで操作すべき部位の上面及び下面のいずれもがＩＶ−ＩＶの範囲内にあることを意味する。
【００４１】
本実施形態では、このように操作摘み６８の移動範囲をより簡易な構成で可能とするため、スライドバー５６に連結突起５９を設け、操作摘み６８と連結部材６７との高さ位置を概ね同じとした。従来の可動式面格子では連結部材６７に相当する部材は、本実施形態でいうところの軸５８の位置に連結されていた。従って本実施形態のようにＩＶ−ＩＶの範囲で操作摘みを移動させる構成とすることに困難があった。ただし、他の態様として図５に示したようにして操作摘み６８’と連結部材６７’とを異なる高さ位置となるように配置し、軸５８の位置に連結することは可能である。ここで操作摘み６８’は図５の紙面手前方向に延在している。
しかしながら、より簡易的な構成とする観点からは本実施形態の連結部材６７、操作摘み６８が好ましい。
【００４２】
以上の実施形態において、例えばスライドバーの孔５６ａとこれに挿入されるアームの軸５８との関係のような、回動可能に構成される軸と孔の組み合わせは、いずれの部材側に軸が配置されるかについては特に限定されない。すなわち例えばスライドバー側に軸を設け、アーム側に孔が設けられる態様であってもよい。他の部位に備えられる孔と軸との関係も同様である。
【符号の説明】
【００４３】
１０  開口部装置
１１  サッシ窓
１２  枠体
１７  室外側障子
２５  室内側障子
４０  可動式面格子
４１  枠体
５０  格子
５１  格子羽根
５５  開閉機構
５６  スライドバー
５７  アーム
５８  軸
５９  連結突起
６５  開閉操作装置
６６  ケース
６６ａ  スリット
６７  連結部材
６７ａ  スリット
【図１】
2012140764.tif 000003
【図２】
2012140764.tif 000004
【図３】
2012140764.tif 000005
【図４】
2012140764.tif 000006
【図５】
2012140764.tif 000007